(57)【特許請求の範囲】
【請求項１】
ＩＣＰ−ＭＳまたはＩＣＰ−ＯＥＳを接続し、２１０〜２２６ｎｍの波長のＵＶ光によるＵＶ検出器を用いた液体クロマトグラフによって、溶液中の金の存在形態を分析する溶液中の金の分析方法であり、
前記液体クロマトグラフをステップワイズ条件で行うことで、前記溶液に含まれる一価の金と三価の金を分析することを特徴とする溶液中の金の分析方法。
【請求項２】
前記溶液が、強酸性の溶液であることを特徴とする請求項１に記載の溶液中の金の分析方法。
【請求項３】
前記溶液中の金が、塩化金または臭化金として含まれていることを特徴とする請求項１または２に記載の溶液中の金の分析方法。
【請求項４】
前記溶液中の金の濃度が０．０１ｍｇ／Ｌ〜１０ｇ／Ｌであることを特徴とする請求項１〜３のいずれか一項に記載の溶液中の金の分析方法。
【請求項５】
前記溶液中の金が、ナノ粒子の形態で分析されることを特徴とする請求項１〜４のいずれか一項に記載の溶液中の金の分析方法。
【発明の詳細な説明】
【技術分野】
【０００１】
本発明は、溶液中の金の分析方法に関し、分離に液体クロマトグラフを用いた溶液中の金の存在形態を分析する方法に関する。
【背景技術】
【０００２】
金は非常に価格の高い金属の一つであり、銅製錬事業において遺利なく回収・処理できれば収益向上に貢献する。このことから各工程に含まれる金の存在状態を明らかにすることは重要となる。従来、溶液中の金属成分等を分析する方法として、ＵＶ検出器を用いた液体クロマトグラフを活用した分析方法が知られている（特許文献１）。そして、溶液中の金の分析にも、このようなＵＶ検出器を用いた液体クロマトグラフが使用されており、特に、ステップワイズ条件によって金をカラムに吸着させ、移動相を通液し、所定の波長のＵＶ光を用いたＵＶ検出器によって溶液中の金を分析する方法が知られている。
【先行技術文献】
【特許文献】
【０００３】
【特許文献１】特表２０１０−５０２９６０号公報
【発明の概要】
【発明が解決しようとする課題】
【０００４】
従来、ＵＶ検出器を用いた液体クロマトグラフによって金を分析する場合には、三価の金のみを捉え、これを溶液中の全金量としていた。これは、溶液中では、一価の金は不安定で、全て三価の金となっていると考えられていたこともあり、また、分析のニーズもなかったので、一価の金が測定されないことに疑問を持たなかったためである。
【０００５】
一方、近年、鉱石などからの金を浸出する方法や回収する方法の研究にあたり、活性炭や樹脂への金の吸着機構において必ずしも三価の金のみの形態では説明できないことが分かってきて、溶液中の金の存在形態を調べるニーズが出てきた。
【０００６】
このような従来の常識や近年のニーズに対して、本発明者らは検討したところ、ＵＶ検出器を用いた液体クロマトグラフによって金を分析する場合、紫外線を吸収する成分は全て検出されてしまうことから、これでは所望の金以外の共存物も全て検出されてしまうため、正確な金の分析ができていないことに考え至った。
【０００７】
すなわち、本発明者らは、従来のＵＶ検出器を用いた液体クロマトグラフによって金を分析する方法では、特に一価の金の分析ができていないという問題に気づき、当該問題を解決するための手段を検討した。
【課題を解決するための手段】
【０００８】
本発明者らは上記課題を解決するために研究を重ねたところ、ＩＣＰ−ＭＳまたはＩＣＰ−ＯＥＳを接続した液体クロマトグラフによって、金を含む溶液を分析することで、溶液中の金の存在形態を正確に分析することができることを見出した。
【０００９】
以上の知見を背景にして完成した本発明は一側面において、ＩＣＰ−ＭＳまたはＩＣＰ−ＯＥＳを接続した液体クロマトグラフによって、溶液中の金の存在形態を分析することを特徴とする溶液中の金の分析方法である。
【００１０】
本発明に係る溶液中の金の分析方法は一実施形態において、前記溶液が、強酸性の溶液である。
【００１１】
本発明に係る溶液中の金の分析方法は別の一実施形態において、前記溶液中の金が、塩化金または臭化金として含まれている。
【００１２】
本発明に係る溶液中の金の分析方法は更に別の一実施形態において、前記溶液中の金の濃度が０．０１ｍｇ／Ｌ〜１０ｇ／Ｌである。
【００１３】
本発明に係る溶液中の金の分析方法は更に別の一実施形態において、前記液体クロマトグラフをステップワイズ条件またはイソクラティック条件で行う。
【００１４】
本発明に係る溶液中の金の分析方法は更に別の一実施形態において、前記溶液中の金が、ナノ粒子の形態で分析される。
【００１５】
本発明は別の一側面において、２１０〜２２６ｎｍの波長のＵＶ光によるＵＶ検出器を用いた液体クロマトグラフにおいて、前記液体クロマトグラフをステップワイズ条件で行うことで、前記溶液に含まれる一価の金と三価の金を分析することを特徴とする溶液中の金の分析方法である。
【発明の効果】
【００１６】
本発明によれば、ＩＣＰ−ＭＳまたはＩＣＰ−ＯＥＳを接続した液体クロマトグラフによって、溶液中の金を分析する。このため、従来のＵＶ検出器を用いた液体クロマトグラフによる分析とは異なり、溶液中の定量目的元素を選んで分析することができ、共存物の影響を受けにくいので、溶液中の金の存在形態を正確に分析することができる。
【図面の簡単な説明】
【００１７】
【図１】図１（ａ）及び図１（ｂ）は、それぞれ、試験例１におけるＩＣＰ−ＭＳを接続した液体クロマトグラフによる分析結果である。図１（ｃ）は、試験例１における金の塩酸溶液（１ｍｇ）に塩化鉄（ＦｅＣｌ2）を０．５、１．０、２．０、４．０ｍｇ／Ｌとなるように添加した溶液の各分析結果である。
【図２】図２（ａ）及び図２（ｂ）は、それぞれ、試験例２におけるＩＣＰ−ＭＳを接続した液体クロマトグラフを用いてイソクラティック条件及びステップワイズ条件で分析した結果を示すグラフである。
【図３】図３は、試験例３におけるＩＣＰ−ＭＳを接続した液体クロマトグラフによる分析結果である。
【図４】図４（ａ）及び図４（ｂ）は、試験例４におけるＩＣＰ−ＭＳを用いた液体クロマトグラフ（イソクラティック条件）による分析結果である。図４（ｃ）及び図４（ｄ）は、試験例４におけるＵＶ検出器を用いた液体クロマトグラフ（イソクラティック条件）による分析結果である。
【図５】図５（ａ）及び図５（ｂ）は、試験例５におけるＩＣＰ−ＭＳを用いた液体クロマトグラフ（ステップワイズ条件）による分析結果である。図５（ｃ）及び図５（ｄ）は、試験例５におけるＵＶ検出器を用いた液体クロマトグラフ（ステップワイズ条件）による分析結果である。
【図６】図６は、三価の金及び一価の金のＵＶスペクトルを示した。
【発明を実施するための形態】
【００１８】
本発明の溶液中の金の分析方法は、ＩＣＰ−ＭＳまたはＩＣＰ−ＯＥＳを接続した液体クロマトグラフによって、溶液中の金の存在形態を分析する。
【００１９】
ＩＣＰ−ＭＳ（ＩＣＰ−Ｍａｓｓ  Ｓｐｅｃｔｒｏｍｅｔｒｙ：ＩＣＰ質量分析）は、ＩＣＰによってイオン化された原子を質量分析計に導入することで、元素の同定・定量を行う。一度に何種類もの元素の分析が可能であり、また質量分析計を用いるため、ｐｐｔレベルの超高感度分析が可能である。
【００２０】
ＩＣＰ−ＯＥＳ（ＩＣＰ−Ｏｐｔｉｃａｌ  Ｅｍｉｓｓｉｏｎ  Ｓｐｅｃｔｒｏｍｅｔｒｙ：ＩＣＰ発光分光分析）は、ＩＣＰによってサンプルを原子化・熱励起し、これが基底状態に戻る際の発光スペクトルから元素の同定・定量を行う方法である。一度に何種類もの元素の分析が可能である。
【００２１】
本発明によれば、ＩＣＰ−ＭＳまたはＩＣＰ−ＯＥＳを接続した液体クロマトグラフによって、溶液中の金を分析するためには、従来のＵＶ検出器を用いた液体クロマトグラフによる分析とは異なり、溶液中の定量目的元素を選んで分析することができ、共存物の影響を受けにくいので、溶液中の金の存在形態を正確に分析することができる。
【００２２】
ＩＣＰ−ＭＳを接続した液体クロマトグラフを用いて溶液中の金の分析を行うと、０．１ｇ／Ｌ以下の金の存在形態を正確に分析する点でより好ましい。
また、ＩＣＰ−ＯＥＳを接続した液体クロマトグラフを用いて溶液中の金の分析を行うと、０．１ｇ／Ｌを超え且つ１０ｇ／Ｌ以下の金の存在形態を正確に分析する点でより好ましい。
【００２３】
本発明において、金を含む溶液は、強酸性の溶液であってもよい。この場合、強酸性下の浸出液によって浸出された金を含む溶液の存在状態を、そのまま分析することができる点で好ましい。強酸性の溶液としては、例えば、ｐＨ２以下の塩酸溶液、硫酸溶液、臭素酸溶液、よう素酸溶液等が挙げられる。
【００２４】
本発明において、溶液中の金は、塩化金または臭化金として含まれていてもよい。この場合、塩酸または臭素酸の浸出液によって塩化金または臭化金として錯化された金の存在状態を含む溶液を、そのまま分析することができる点で好ましい。また、塩化金と臭化金とは、クロマトグラムのパターンが異なるため、クロマトグラムのパターンを確認することで、塩化金であるのか、臭化金として存在しているのかという溶液中の金の存在形態が容易に判別できる。
【００２５】
本発明において、溶液中の金の濃度は、０．０１ｍｇ／Ｌ〜１０ｇ／Ｌであってもよい。本発明によれば、ＩＣＰ−ＭＳまたはＩＣＰ−ＯＥＳを接続した液体クロマトグラフによって、金を含む溶液を分析するため、このように濃度が０．０１ｍｇ／Ｌ〜１０ｇ／Ｌという広い範囲で含まれる金について、存在形態を正確に分析することができる。
【００２６】
本発明において、液体クロマトグラフをイソクラティック条件（一種類の移動相を連続して通液する方法）で行ってもよく、ステップワイズ条件（組成の異なる移動相を段階的に通液する方法）で行ってもよい。特に、液体クロマトグラフをステップワイズ条件で行うと、金の存在形態によって適切な移動相の種類、流速等のステップ条件を調節することができるため、ＩＣＰ−ＭＳまたはＩＣＰ−ＯＥＳで検出される各クロマトグラムがよりシャープで明確となり、金の存在形態が正確に分析できる。また、本発明によれば溶液中の金をナノ粒子の形態で分析することができる。金のナノ粒子は一価の金（Ａｕ（Ｉ））とＡｕメタルの中間形態である。
【００２７】
本発明の溶液中の金の分析方法は別の一側面において、２１０〜２２６ｎｍの波長のＵＶ光によるＵＶ検出器を用いた液体クロマトグラフにおいて、液体クロマトグラフをステップワイズ条件で行うことで、溶液に含まれる一価の金と三価の金を分析できる。本発明によれば、従来の２１５ｎｍの波長のＵＶ光によるＵＶ検出器を用いた液体クロマトグラフのイソクラティック条件による分析とは異なり、溶液に含まれる一価の金と三価の金を、簡易な方法で且つ正確に分析することが可能となる。より詳細には、本発明では、２１０〜２２６ｎｍの波長のＵＶ光によるＵＶ検出器を用いた液体クロマトグラフにおいて、液体クロマトグラフを、ステップワイズ条件で行うため、金の存在形態によって適切な移動相の種類、流速等のステップ条件を調節することができ、検出される各クロマトグラムがよりシャープで明確となり、金の存在形態を正確に分析できる。本発明において、金を含む溶液は、強酸性の溶液であってもよい。この場合、強酸性の浸出液によって浸出された金の存在状態を含む溶液を、そのまま分析することができる点で好ましい。強酸性の溶液としては、例えば、ｐＨ２以下の塩酸溶液、硫酸溶液、臭素酸溶液、よう素酸溶液等が挙げられる。また、本発明において、溶液中の金は、塩化金または臭化金として含まれていてもよい。この場合、塩酸または臭素酸の浸出液によって塩化金または臭化金として錯化された金の存在状態を含む溶液を、そのまま分析することができる点で好ましい。また、塩化金と臭化金とは、クロマトグラムのパターンが異なるため、クロマトグラムのパターンを確認することで、塩化金であるのか、臭化金として存在しているのかという溶液中の金の存在形態が容易に判別できる。本発明において、金を含む溶液中の金の濃度は、０．０１〜５０ｍｇ／Ｌであってもよい。本発明によれば、ＵＶ検出器を用いた液体クロマトグラフにおいて、液体クロマトグラフをステップワイズ条件で行うことで、溶液に含まれる一価の金と三価の金を分析するため、このように濃度が０．０１〜５０ｍｇ／Ｌという広い範囲で含まれる金について、存在形態を正確に分析することができる。また、ＵＶ検出器を用いた液体クロマトグラフにおいて、液体クロマトグラフをステップワイズ条件で行うことで溶液に含まれる一価の金と三価の金を分析する方法は、簡易な装置で実施することができ、採掘現場等でのサイト分析にも適用が期待できる。
【００２８】
表１に、ＵＶ、ＩＣＰ−ＭＳ、ＩＣＰ−ＯＥＳを用いた液体クロマトグラフによる溶液中の金の分析方法の特徴を整理する。また、ＵＶ検出器を用いた液体クロマトグラフによる溶液中の金の分析では、従来技術として波長２１５ｎｍのＵＶ光を用いた例があるが、吸収感度が波長２１０ｎｍまたは２２６ｎｍを用いたものに対して低く、また、一価の金を検出したという報告はされていない。なお、図６のＵＶスペクトルに示すように、一価の金は、三価金に比べて吸収感度が非常に低い。
【００２９】
【表１】
0006599171.tif 000002
【実施例】
【００３０】
以下に本発明の実施例を示すが、これらの実施例は本発明及びその利点をよりよく理解するために提供するものであり、発明が限定されることを意図するものではない。
【００３１】
（試験例１）
分析対象の金を含む溶液として、金の塩酸溶液（市販の原子吸光標準溶液）に塩化鉄（ＦｅＣｌ2）を加えた溶液を準備した。次に、ＩＣＰ−ＭＳを接続した液体クロマトグラフを用い、且つ、液体クロマトグラフを、表２に示すイソクラティック条件で行うことで、当該溶液中の金の変化を分析した。
【００３２】
【表２】
0006599171.tif 000003
【００３３】
図１（ａ）は、分析対象の溶液として、上記金の塩酸溶液（市販の原子吸光標準溶液）（１ｍｇ）に塩化鉄（ＦｅＣｌ2）を０．５ｍｇ／Ｌとなるように添加した溶液の分析結果であり、図１（ｂ）は、分析対象の溶液として、上記金の塩酸溶液（市販の原子吸光標準溶液）（１ｍｇ）に塩化鉄（ＦｅＣｌ2）を１ｍｇ／Ｌとなるように添加した溶液の分析結果である。それぞれ、横軸は保持時間（サンプルが液体クロマトグラフ（またはカラム）に注入されてから検出器に到達する時間）を示し、縦軸はＩＣＰ／ＭＳ  ｃｐｓ（ｃｏｕｎｔ  ｐｅｒ  ｓｅｃ）：ＩＣＰ／ＭＳの検出強度（金の質量ｍ／ｚ１９７における強度）を示す。これらのグラフからわかるように、ＩＣＰ−ＭＳを接続した液体クロマトグラフにより、溶液中の金の存在形態（一価の金及び三価の金）を確認することができた。また、図１（ｃ）では、分析対象の溶液として、上記金の塩酸溶液（市販の原子吸光標準溶液）（１ｍｇ）に塩化鉄（ＦｅＣｌ2）を０．５、１．０、２．０、４．０ｍｇ／Ｌとなるように添加した溶液の各分析結果を、横軸：塩化鉄（ＦｅＣｌ2）濃度、縦軸：一価の金及び三価の金の濃度のグラフで示した。図１（ｃ）によれば、塩化鉄（ＦｅＣｌ2）の濃度を増加させていくと、元の三価の金は還元され一価の金が増加して、元の三価の金が減少してくことがわかる。さらに塩化鉄（ＦｅＣｌ2）の濃度を２〜４ｍｇ／Ｌに増加すると、一価の金も更に還元され減少していくことがわかる。
【００３４】
（試験例２）
分析対象の金を含む溶液として、金の塩酸溶液（市販の原子吸光標準溶液）に臭化ナトリウム（ＮａＢｒ）を加えた溶液（Ａｕ：１ｍｇ／Ｌ＋Ｂｒ：８０ｇ／Ｌ）を準備した。次に、ＩＣＰ−ＭＳを接続した液体クロマトグラフを用い、且つ、移動相の液体クロマトグラフへの通液を、表２に示すイソクラティック条件及びステップワイズ条件で行うことで、当該溶液中の金の変化を分析した。分析結果を図２に示す。
【００３５】
図２（ａ）及び（ｂ）ともに、金のナノ粒子、一価の金、及び、三価の金という各存在形態が確認された。なお、ここでは、三価の金がＢｒで還元されて、一価の金及び金のナノ粒子が生成していると考えられる。
【００３６】
（試験例３）
また、金がナノ粒子の形態で確認されていることをより明らかにするために、分析対象の金を含む溶液として、５％クエン酸一水和物に、金の塩酸溶液（市販の原子吸光標準溶液）を加えて、ＡｕＣｌ4（黄色）が透明になるまで加熱した溶液を準備した。次に、ＩＣＰ−ＭＳを接続した液体クロマトグラフを用い、且つ、液体クロマトグラフを、表２に示すイソクラティック条件で行うことで、当該溶液中の金のナノ粒子への形態変化を分析した。分析結果を図３に示す。図３に示すように、保持時間１分におけるピークが金のナノ粒子として存在していることが確認された。
【００３７】
（試験例４）
溶液中の三価の金と一価の金を、ＩＣＰ−ＭＳ及びＵＶ検出器（ＵＶ波長２２６ｎｍ）を用いた液体クロマトグラフ（イソクラティック条件）によってそれぞれ分析するための試験を行った。
まず、金の塩酸溶液（市販の原子吸光標準溶液）を準備した（Ａｕ：１ｍｇ／Ｌ）。当該溶液を、表２に記載のイソクラティック条件によって、ＩＣＰ−ＭＳ及びＵＶ検出器を用いた液体クロマトグラフでそれぞれ分析した。分析結果を図４（図４（ａ）：ＩＣＰ−ＭＳ分析結果、図４（ｃ）：ＵＶ分析結果）に示す。当該図４（ａ）及び（ｃ）から明らかなように、ＩＣＰ−ＭＳ及びＵＶ検出器（ＵＶ波長２２６ｎｍ）を用いた液体クロマトグラフ（イソクラティック条件）では、いずれも三価の金が明確に確認できた。
次に、一価の金が分析可能かを検討した。ここで、一価の金は不安定であるため、分析対象となる溶液を以下の通り調製した。すなわち、まず、金の塩酸溶液（市販の原子吸光標準溶液：三価の金を含有）をＦｅＣｌ2で還元し、続いてＦｅＣｌ3で酸化することで、溶液中において還元と酸化の両方の作用から一価の金を安定化させた。当該溶液（Ａｕ：１ｍｇ／Ｌ）を用いて、表２に記載のイソクラティック条件によって、ＩＣＰ−ＭＳ及びＵＶ検出器を用いた液体クロマトグラフでそれぞれ分析した。分析結果を図４（図４（ｂ）：ＩＣＰ−ＭＳ分析結果、図４（ｄ）：ＵＶ分析結果）に示す。当該図４（ｂ）及び（ｄ）から明らかなように、ＩＣＰ−ＭＳを用いた液体クロマトグラフ（イソクラティック条件）では、一価の金が明確に確認できたのに対し、ＵＶ検出器（ＵＶ波長２１０ｎｍ）を用いた液体クロマトグラフ（イソクラティック条件）では、一価の金を確認することが困難であった。
【００３８】
（試験例５）
溶液中の三価の金と一価の金を、ＩＣＰ−ＭＳ及びＵＶ検出器（ＵＶ波長２２６ｎｍ）を用いた液体クロマトグラフ（ステップワイズ条件）によってそれぞれ分析するための試験を行った。
まず、金の塩酸溶液（市販の原子吸光標準溶液）を準備した（Ａｕ：１ｍｇ／Ｌ）。当該溶液を、表２に記載のステップワイズ条件によって、ＩＣＰ−ＭＳ及びＵＶ検出器を用いた液体クロマトグラフでそれぞれ分析した。分析結果を図５（図５（ａ）：ＩＣＰ−ＭＳ分析結果、図５（ｃ）：ＵＶ分析結果）に示す。当該図５（ａ）及び（ｃ）から明らかなように、ＩＣＰ−ＭＳ及びＵＶ検出器（ＵＶ波長２２６ｎｍ）を用いた液体クロマトグラフ（ステップワイズ条件）では、いずれも三価の金が明確に確認できた。
次に、一価の金が分析可能かを検討した。ここで、一価の金は不安定であるため、分析対象となる溶液を以下の通り調整した。すなわち、まず、金の塩酸溶液（市販の原子吸光標準溶液：三価の金を含有）をＦｅＣｌ2で還元し、続いてＦｅＣｌ3で酸化することで、溶液中において還元と酸化の両方の作用から一価の金を安定化させた。当該溶液（Ａｕ：１ｍｇ／Ｌ）を用いて、表２に記載のステップワイズ条件によって、ＩＣＰ−ＭＳ及びＵＶ検出器を用いた液体クロマトグラフでそれぞれ分析した。分析結果を図５（図５（ｂ）：ＩＣＰ−ＭＳ分析結果、図５（ｄ）：ＵＶ分析結果）に示す。当該図５（ｂ）及び（ｄ）から明らかなように、ＩＣＰ−ＭＳを用いた液体クロマトグラフ（ステップワイズ条件）では、一価の金が明確に確認できたのに対し、ＵＶ検出器（ＵＶ波長２１０ｎｍ）を用いた液体クロマトグラフ（ステップワイズ条件）では、一価の金を確認することが困難であった。
【図１】
0006599171.tif 000004
【図２】
0006599171.tif 000005
【図３】
0006599171.tif 000006
【図４】
0006599171.tif 000007
【図５】
0006599171.tif 000008
【図６】
0006599171.tif 000009